(57)【要約】【課題】肢体を十分に保温できるようして、冷えに起因した疼痛を緩和できるようにする。【解決手段】肢体に装着される肢体用保温部材１が、酸化チタン、トルマリン及びゲルマニウムの少なくとも１つで構成された血行促進部を備えている。血行促進部によって肢体の血行が促進されて、疼痛が緩和される。【選択図】図１
2012187289.tif 000002
【特許請求の範囲】
【請求項１】
肢体に装着される肢体用保温部材であって、
血行促進部を備えていることを特徴とする肢体用保温部材。
【請求項２】
請求項１に記載の肢体用保温部材において、
血行促進部は、酸化チタンを含んでいることを特徴とする肢体用保温部材。
【請求項３】
請求項２に記載の肢体用保温部材において、
血行促進部は、粒状に加工された酸化チタンを多数含んでいることを特徴とする肢体用保温部材。
【請求項４】
請求項１に記載の肢体用保温部材において、
血行促進部は、トルマリンを含んでいることを特徴とする肢体用保温部材。
【請求項５】
請求項１に記載の肢体用保温部材において、
血行促進部は、ゲルマニウムを含んでいることを特徴とする肢体用保温部材。
【請求項６】
請求項１から５のいずれか１つに記載の肢体用保温部材において、
下肢の足首からつま先側を覆うように形成された第１カバーと、
下肢の足首からふくらはぎ側を覆うように形成された第２カバーとを備えていることを特徴とする肢体用保温部材。
【請求項７】
請求項６に記載の肢体用保温部材において、
第２カバーは、筒状に形成され、径を調整する調整部を有していることを特徴とする肢体用保温部材。
【請求項８】
請求項１から５のいずれか１つに記載の肢体用保温部材において、
下肢のつま先から少なくともふくらはぎ部分までを覆うブーツ形状をなしていることを特徴とする肢体用保温部材。
【請求項９】
請求項６から８のいずれか１つに記載の肢体用保温部材において、
血行促進部がつま先に対応するように配置されていることを特徴とする肢体用保温部材。
【請求項１０】
請求項１から５のいずれか１つに記載の肢体用保温部材において、
肢体に巻き付けられるように形成されていることを特徴とする肢体用保温部材。
【請求項１１】
請求項１から５のいずれか１つに記載の肢体用保温部材において、
履き物の中敷き形状とされていることを特徴とする肢体用保温部材。
【請求項１２】
請求項１から１１のいずれか１つに記載の肢体用保温部材において、
人工透析の際に用いられることを特徴とする肢体用保温部材。
【発明の詳細な説明】
【技術分野】
【０００１】
本発明は、手や足に装着される肢体用保温部材に関する。
【背景技術】
【０００２】
一般に、慢性腎不全患者は、１週間に２〜３回、人工透析を受けるために病院に通っている。１回の人工透析に要する時間は、患者の状態によって異なるが、３〜５時間程度の長時間に及ぶ。この間、患者は、ベッドに横になったままじっとして待つ必要がある。
【０００３】
また、慢性腎不全患者は、肢体の血流が悪化している場合が多く、人工透析を受けている間に、冷えに起因した足の疼痛を訴える場合がある。このような場合に、例えば、特許文献１に開示されているような靴下を履かせて保温することがある。
【先行技術文献】
【特許文献】
【０００４】
【特許文献１】特開２００５−６８５８８号公報
【発明の概要】
【発明が解決しようとする課題】
【０００５】
しかしながら、特許文献１の靴下は、単に繊維を編んで構成されているだけなので、肢体の十分な保温が行われず、疼痛の緩和が困難であることが考えられる。
【０００６】
本発明は斯かる点に鑑みてなされたものであり、その目的とするところは、肢体を十分に保温できるようして、冷えに起因した疼痛を緩和できるようにすることにある。
【課題を解決するための手段】
【０００７】
上記目的を達成するために、第１の発明では、肢体に装着される肢体用保温部材であって、血行促進部を備えている構成とする。
【０００８】
この構成によれば、血行促進部によって血行が促進されるので、肢体が温まる。
【０００９】
第２の発明では、第１の発明において、血行促進部は、酸化チタンを含んでいる構成とする。
【００１０】
この構成によれば、生体適合性の良好な酸化チタンによって血行促進効果を得ることが可能になる。また、酸化チタンが有する光触媒作用によって抗菌効果も得ること可能となる。
【００１１】
第３の発明では、第２の発明において、血行促進部は、粒状に加工された酸化チタンを多数含んでいる構成とする。
【００１２】
この構成によれば、酸化チタンが有する光触媒作用が十分に得られるようになる。
【００１３】
第４の発明では、第１の発明において、血行促進部は、トルマリンを含んでいる構成とする。
【００１４】
第５の発明では、第１の発明において、血行促進部は、ゲルマニウムを含んでいる構成とする。
【００１５】
第６の発明では、第１から５のいずれか１つの発明において、下肢の足首からつま先側を覆うように形成された第１カバーと、下肢の足首からふくらはぎ側を覆うように形成された第２カバーとを備えている構成とする。
【００１６】
この構成によれば、使用者がつま先にのみ冷えを感じていて、ふくらはぎ側に冷えを感じていない場合には、第１カバーのみを用いてつま先の血行を促進することが可能になり、また、つま先や足裏の冷えを感じていない場合には、第２カバーのみを用いてつま先や足裏を露出させておくことが可能になる。さらに、下肢の全体に冷えを感じている場合には、第１カバーと第２カバーを下肢に装着することで、全体の血行を促進することが可能になる。
【００１７】
第７の発明では、第６の発明において、第２カバーは、筒状に形成され、径を調整する調整部を有している構成とする。
【００１８】
この構成によれば、第２カバーの径を使用者の下肢の太さに適した大きさにすることが可能になる。
【００１９】
第８の発明では、第１から５のいずれか１つの発明において、下肢のつま先から少なくともふくらはぎ部分までを覆うブーツ形状をなしている構成とする。
【００２０】
この構成によれば、下肢の広範囲の血行を促進することが可能になる。
【００２１】
第９の発明では、第６から８のいずれか１つの発明において、血行促進部がつま先に対応するように配置されている構成とする。
【００２２】
この構成によれば、冷えやすいつま先の血行を効果的に促進することが可能になる。
【００２３】
第１０の発明では、第１から５のいずれか１つの発明において、肢体に巻き付けられるように形成されている構成とする。
【００２４】
この構成によれば、肢体が効果的に加温される。
【００２５】
第１１の発明では、第１から５のいずれか１つの発明において、履き物の中敷き形状とされている構成とする。
【００２６】
この構成によれば、血管が密集した足の裏を効果的に加温することが可能になる。
【００２７】
第１２の発明では、第１から１１のいずれか１つの発明において、肢体用保温部材が人工透析の際に用いられるものである。
【００２８】
この構成によれば、人工透析を受けている患者の肢体の血行を促進することが可能になる。
【発明の効果】
【００２９】
第１の発明によれば、肢体用保温部材が血行促進部を備えているので、肢体の血行を促進して温めることができ、よって、冷えに起因した疼痛を緩和することができる。
【００３０】
第２の発明によれば、生体適合性の良好な酸化チタンにより肢体の血行を促進することができるので、使用者に副作用が起こり難く、安全に血行促進効果を得ることができる。また、酸化チタンの抗菌効果によって肢体用保温部材を清潔に保つことができ、医療現場に適したものとすることができる。
【００３１】
第３の発明によれば、酸化チタンが有する光触媒作用を十分に得ることができ、抗菌効果を高めることができる。
【００３２】
第４、５の発明によれば、使用者に副作用が起こり難く、安全に血行促進効果を得ることができる。
【００３３】
第６の発明によれば、下肢の足首よりもつま先側を覆うように形成された第１カバーと、下肢の足首よりもふくらはぎ側を覆うように形成された第２カバーとを備えているので、第１カバーと第２カバーとを選択的に使用することができ、使用者に適した血行促進効果を得ることができる。
【００３４】
第７の発明によれば、第２カバーの径を使用者の下肢の太さに合うように調整することができ、使用感を良好にすることができる。
【００３５】
第８の発明によれば、肢体用保温部材がブーツ形状をなしているので、下肢の広範囲に亘って血行を促進し、疼痛を緩和することができる。
【００３６】
第９の発明によれば、つま先の血行を効果的に促進することができる。
【００３７】
第１０、１１の発明によれば、肢体を効果的に加温できる。
【００３８】
第１２の発明によれば、人工透析中の患者が肢体に感じる疼痛を緩和することができる。
【図面の簡単な説明】
【００３９】
【図１】本発明の実施形態１に係る肢体用保温部材の使用状態を説明する図である。
【図２】実施形態１に係る肢体用保温部材の斜視図である。
【図３】肢体用保温部材を構成する布材の拡大断面図である。
【図４】ふくらはぎ側カバーを展開した状態を示す図である。
【図５】ふくらはぎ側カバーの平面図である。
【図６】変形例に係るつま先カバー部の斜視図である。
【図７】変形例に係るつま先カバー部の平面図である。
【図８】変形例に係るつま先カバー部の側面図である。
【図９】変形例に係る図４相当図である。
【図１０】変形例に係るふくらはぎカバー部を筒状にする場合を示し、（ａ）は、斜視図であり、（ｂ）は、平面図である。
【図１１】本発明の実施形態２に係る肢体用保温部材の斜視図である。
【図１２】本発明の実施形態３に係る肢体用保温部材の平面図である。
【図１３】本発明の実施形態３に係る図１相当図である。
【図１４】本発明の実施形態４に係る肢体用保温部材及び履き物の斜視図である。
【発明を実施するための形態】
【００４０】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００４１】
《発明の実施形態１》
図１は、本発明の実施形態に係る肢体用保温部材１の使用状態を示している。この肢体用保温部材１は、人工透析を受ける患者の足Ｌに装着されるものであり、足首からつま先側を覆うように形成されたつま先側カバー（第１カバー）１０と、足首からふくらはぎ側を覆うように形成されたふくらはぎ側カバー（第２カバー）２０とで構成されている。
【００４２】
図２に示すように、つま先側カバー１０は、所定形状に裁断された布材を縫製してなるものであり、つま先部分を覆うように形成されたつま先カバー部１１と、足裏を覆うように形成された足裏カバー部１２と、足の甲を覆うように形成された甲カバー部１３と、足首のくるぶし及びその近傍を覆う足首カバー部１４とを有している。足首カバー部１４には、足をつま先側カバー１０内に入れるための足入れ孔１５が形成されている。この足入れ孔１５の周囲には、環状のゴム１６が縫い付けられている。このゴム１６の径は、患者の足首の径よりも小さめに設定されている。ゴム１６の代わりに、紐の設けておき、紐を縛ることによって足入れ孔１５の径を小さくするようにしてもよい。
【００４３】
つま先側カバー１０を構成する布材は、図３に示すように、重ね合わされた２枚の不織布２、２と、これら不織布２、２の間に挟みこまれた金属粉末（血行促進部）３とで構成されている。金属粉末３の表面には酸化チタンの皮膜が形成されている。
【００４４】
ふくらはぎ側カバー２０は、図２示すように使用状態では、筒状をなす一方、図４に示すように、展開した状態では四角形をなす布材で構成されている。このふくらはぎ側カバー２０を構成する布材は、つま先側カバー１０を構成する布材と同じものであり、同様な金属粉末を有している。ふくらはぎ側カバー２０の長さは、図１に示すように、患者の足首から膝近傍までの寸法と同じくらいに設定されている。また、ふくらはぎ側カバー２０の径は、足首側に行くほど小さくなるように設定されている。この径の変化に対応するように、布材の幅は、足首側に行くほど狭くなっている（図４参照）。
【００４５】
ふくらはぎ側カバー２０の幅方向一側の裏面には、面ファスナー２１の一方の部材を構成するフックテープ２１ａが貼り付けられている。このフックテープ２１ａは、ふくらはぎ側カバー２０の長さ方向両端部近傍に亘って連続して延びている。ふくらはぎ側カバー２０の幅方向他側の表面には、面ファスナー２１の他方の部材を構成する複数のループテープ２１ｂ、２１ｂ、…が貼り付けられている。ループテープ２１ｂ、２１ｂ、…は、ふくらはぎ側カバー２０の長さ方向に間隔をあけて配置され、ふくらはぎ側カバー２０の幅方向に延びている。そして、図５に示すように、フックテープ２１ａのループテープ２１ｂに対する固定位置によって、ふくらはぎ側カバー２０の径が調整可能となっている。また、複数のループテープ２１ｂ、２１ｂ、…が間隔をあけて配置されているので、ふくらはぎ側カバー２０の径は、ふくらはぎの上側に対応する部分と下側に対応する部分とで変えることができるようになっている。尚、面ファスナー２１が、本発明の調整部を構成している。また、フックテープ２１ａ及びループテープ２１ｂの数、形状及び位置は、任意に設定することが可能である。
【００４６】
次に、上記つま先側カバー１０及びふくらはぎ側カバー２０を構成する布材の製造方法について説明する。まず、酸化チタン被膜が形成された金属粉末３を得る。この金属粉末３は、例えば、特開２０００−６１３１４号公報や特開２００４−３４４６８７号公報に開示されている装置及び方法を用いて製造することができる。すなわち、図示しないが、製造装置としては、重力式ブラスト装置を用意する。また、酸化チタンの被膜を形成する前の金属粉末からなる被処理材も用意しておく。尚、ブラスト装置は、エア式であれば、吸い込み式のサイホン型や、他の形式であってもよい。
【００４７】
そして、被処理材をブラスト装置の処理室に配置し、チタン粉末を圧縮空気により噴射ノズルを介して被処理材へ向けて噴射する。このチタン粉末の平均粒径は、４０μｍ〜１００μｍの範囲である。また、噴射圧力は、０．４ＭＰａ〜０．６ＭＰａの範囲で設定され、噴射ノズルと被処理材との間隔は、１００ｍｍ〜２５０ｍｍの範囲で設定されている。また、噴射ノズルの内径は５ｍｍ〜７ｍｍの範囲で設定されている。
【００４８】
上記噴射ノズルから噴射されたチタン粉末が被処理材に当たると被処理材の表面への衝突前後の速度変化により、熱エネルギーが生じ、局部的に温度上昇が起こる。これにより、チタン粉末が被処理材の表面で加熱されて、チタン粉末中のチタンが被処理材の表面に活性化吸着するとともに、大気中の酸素と酸化反応を起こす。その結果、酸化チタン被膜が形成された金属粉末３が得られる。この酸化チタン被膜を形成する際には、チタン粉末が温度上昇することにより、チタンが被処理材に浸透していく。このため、被処理材の表面から内部に入るに従って酸素が欠乏気味になり、酸化チタン被膜は、酸素欠乏傾斜構造と呼ばれる構造を呈することになる。すなわち、被処理材の表面では、酸化チタン被膜はＴｉＯ２であるのに対し、表面から内部に入った箇所では、ＴｉＯとなる。このようにして得られた金属粉末３を２枚の不織布２、２の間に配置して、これら不織布２、２を互いに接着するとともに、金属粉末３を不織布２に接着する。金属粉末３は不織布２、２の繊維間から露出するようになっている。
【００４９】
上記のように構成された布材を裁断して縫製し、足入れ孔１５の周縁部にゴム１６を縫い付けることで、つま先側カバー部材１０が得られる。また、裁断した布材に面ファスナー２１のフックテープ２１ａとループテープ２１ｂ、２１ｂ、…を貼り付けることで、ふくらはぎ側カバー２０が得られる。これらフックテープ２１ａ及びループテープ２１ｂ、２１ｂ、…は、接着剤で貼り付けるようにしてもよいし、糸で縫い付けるようにしてもよいし、熱溶着するようにしてもよい。
【００５０】
次に、上記のように構成された肢体用保温部材１を使用する場合について説明する。ベッドに横になっている患者が、例えば、つま先から膝近傍まで冷えを感じている場合には、つま先側カバー１０及びふくらはぎ側カバー２０の両方を足Ｌに装着する。すなわち、つま先側カバー１０の足入れ孔１５を拡げながら、患者のつま先を足入れ孔１５からつま先側カバー１０内へ入れていき、つま先側カバー１０を履かせた状態にする。また、ふくらはぎ側カバー２０は、面ファスナー２１を外して図４に示す展開状態にした後、すねからふくらはぎを覆うように配置してから、フックテープ２１ａをループテープ２１ｂ、２１ｂ、…に重ね合わせて面ファスナー２１を固定状態にする。このとき、ループテープ２１ｂ、２１ｂ、…がふくらはぎ側カバー２０の幅方向に延びるものであるため、ふくらはぎ側カバー２０の径をふくらはぎの太さに合うように調整することが可能である。このようにしてつま先側カバー１０及びふくらはぎ側カバー２０を装着すると、金属粉末３の表面が患者の皮膚に接触し、下肢の膝近傍からつま先にかけて酸化チタンによって血行が促進される。
【００５１】
また、患者がつま先にのみ冷えを感じていて、ふくらはぎ側に冷えを感じていない場合には、つま先側カバー１０のみを用いてつま先の血行を促進することが可能である。さらに、ふくらはぎにのみ冷えを感じていて、つま先や足裏の冷えを感じていない場合には、ふくらはぎ側カバー２０のみを用いてふくらはぎの血行を促進し、つま先を露出させておくことが可能になる。
【００５２】
以上説明したように、この実施形態１に係る肢体用保温部材１によれば、酸化チタンによって足Ｌの血行を促進して温めることができ、よって、患者が人工透析を受ける間、冷えに起因した疼痛を緩和することができる。
【００５３】
また、酸化チタンは、生体適合性が良好であるため、患者に副作用が起こり難く安全に血行促進効果を得ることができる。また、酸化チタンが有する光触媒作用により抗菌効果を得ることができるので、肢体用保温部材１を清潔に保つことができ、医療現場に適したものとすることができる。
【００５４】
また、肢体用保温部材１をつま先側カバー１０とふくらはぎ側カバー２０とで構成したので、患者の状態に合わせて、つま先側とふくらはぎ側を選択的に血行促進することができ、患者に適した血行促進効果を得ることができる。
【００５５】
また、ふくらはぎ側カバー２０の径を面ファスナー２１によって調整できるので、ふくらはぎ側カバー２０の径を患者の足に合うように調整することができ、使用感を良好にすることができる。
【００５６】
尚、図示しないが、ふくらはぎ側カバー２０にボタンを設け、ボタンを留めることによって筒状にするようにしてもよい。また、ふくらはぎ側カバー２０にファスナーを設け、ファスナーを留めることによって筒状にするようにしてもよい。
【００５７】
また、つま先側カバー１０のみで肢体用保温部材１を構成してもよいし、ふくらはぎ側カバー２０のみで肢体用保温部材１を構成してもよい。
【００５８】
また、つま先側カバー１０の形状及びふくらはぎ側カバー２０の形状を、図６〜図１０に示す実施形態１の変形例のような形状としてもよい。この変形例のつま先側カバー１０は、熱溶着可能な樹脂材等からなる布材を複数枚組み合わせて構成されている。甲カバー部１３、つま先カバー部１１及びかかとを覆う部分には、布材を溶着した跡である溶着部１７、１７、１７がそれぞれ設けられている。また、足入れ孔１５の周囲は、環状のゴム１６が入るように形成されている。ふくらはぎカバー部２０は、図９に示すような四角形状とされている。ふくらはぎカバー部２０の一方の側縁部近傍には、複数のフックテープ２１ａ、２１ａ、…が側縁部の長手方向に間隔をあけて貼り付けられている。ふくらはぎカバー部２０の他方の側縁部近傍には、上記フックテープ２１ａの間隔と同じ間隔でループテープ２１ｂ、２１ｂ、…が貼り付けられている。各フックテープ２１ａの長手方向は、側縁部の延びる方向と一致しており、また、各ループテープ２１ｂの長手方向は、フックテープ２１ａの長手方向と直交する方向となっている。このふくらはぎカバー部２０は、図１０（ａ）、（ｂ）に示すように筒状にして、フックテープ２１ａとループテープ２１ｂとを重ね合わせて面ファスナー２１を固定状態にして使用する。
【００５９】
《発明の実施形態２》
図１１は、本発明の実施形態２に係る肢体用保温部材３０を示している。この実施形態２の肢体用保温部材３０は、実施形態１のものに対し、つま先側から膝近傍まで一体的に覆うブーツ形状とされている点で異なっている。
【００６０】
すなわち、肢体用保温部材３０は、実施形態１と同じ布材を所定形状に裁断した後に縫製してなるものである。この肢体用保温部材３０は、つま先部分を覆うように形成されたつま先カバー部３１と、足裏を覆うように形成された足裏カバー部３２と、足の甲を覆うように形成された甲カバー部３３と、足首のくるぶし及びその近傍を覆う足首カバー部３４と、ふくらはぎ及びすねを覆うふくらはぎカバー部３５とを有している。ふくらはぎカバー部３５には、足を内部に入れるための足入れ孔３６が形成され、この足入れ孔３６の周縁部には、環状のゴム３７が縫い付けられている。
【００６１】
ふくらはぎカバー部３５には、その長さ方向に延びる切れ込み部３５ａが形成されている。このふくらはぎカバー部３５における切れ込み部３５ａ近傍の内面には、面ファスナー３８のフックテープ３８ａが貼り付けられている。このフックテープ３８ａは、ふくらはぎカバー部３５の長さ方向に連続して延びている。また、このふくらはぎカバー部３５における切れ込み部３５ａ近傍の外面には、フックテープ３８ａに対応して複数のループテープ３８ｂ、３８ｂ、…が貼り付けられている。ループテープ３８ｂ、３８ｂ、…は、ふくらはぎカバー部３５の長さ方向に間隔をあけて配置され、ふくらはぎカバー部３５の周方向に延びている。従って、この面ファスナー３８によって、実施形態１のふくらはぎ側カバー２０と同様に、ふくらはぎカバー部３５の径を調節することが可能である。
【００６２】
この実施形態２の肢体用保温部材３０を使用する場合には、患者の足を足入れ孔３６から内部に入れていく。このとき、患者がふくらはぎにも冷えを感じている場合には、肢体用保温部材３０を膝近傍まで上げた状態にしておく。また、患者がふくらはぎに冷えを感じていない場合には、肢体用保温部材３０を足首近傍までずらしておけばよい。
【００６３】
したがって、この実施形態２に係る肢体用保温部材３０によれば、実施形態１のものと同様に、冷えに起因した疼痛を緩和することができる。
【００６４】
また、肢体用保温部材３０がブーツ形状をなしているので、足Ｌの広範囲の血行を促進して疼痛を緩和することができる。
【００６５】
尚、上記実施形態１、２では、肢体用保温部材１、３０の全体に酸化チタンを配置して足Ｌの広範囲の血行を促進できるようにしているが、これに限らず、例えば、冷えやすいつま先を覆うつま先カバー部１１、３１にのみ酸化チタンを配置するようにして効果的な血行促進を図るようにしてもよいし、くるぶしを覆う部分にのみ酸化チタンを配置するようにしてもよい。このようにすることで、肢体用保温部材１、３０を低コストにすることができる。
【００６６】
《発明の実施形態３》
図１２は、本発明の実施形態３に係る肢体用保温部材４０を示している。この実施形態３の肢体用保温部材４０は、足首に巻き付けることができる形状となっている点で実施形態１のものと異なっている。
【００６７】
肢体用保温部材４０は、帯状に形成されており、図示しないが、伸縮性を有する布製の基材と、酸化チタン被膜を有する金属粉末を担持させた不織布とを積層し一体化して構成されている。肢体用保温部材４０には、面ファスナー４１のフックテープ４１ａとループテープ４１ｂとが上記実施形態２の面ファスナー２１と同様に設けられている。
【００６８】
上記肢体用保温部材４０を使用する場合には、図１３に示すように、足首に巻き付けてた後、フックテープ４１ａとループテープ４１ｂとを重ね合わせて面ファスナー４１を固定状態とする。
【００６９】
以上説明したように、この実施形態３に係る肢体用保温部材４０によれば、酸化チタンによって足Ｌの血行を促進して温めることができ、よって、患者が人工透析を受ける間、冷えに起因した疼痛を緩和することができる。
【００７０】
尚、肢体用保温部材４０は、足首以外にも、手首に巻き付けることができる。
【００７１】
《発明の実施形態４》
図１４は、本発明の実施形態４に係る肢体用保温部材５０を示している。この実施形態４の肢体用保温部材５０は、履き物５１の中敷き形状となっている点で実施形態１のものと異なっている。
【００７２】
肢体用保温部材５０は、履き物５１の底に対応する形の板状をなしており、図示しないが、吸湿性を有する布製の基材と、酸化チタン被膜を有する金属粉末を担持させた不織布とを積層し一体化して構成されている。酸化チタン被膜を有する金属粉末は、肢体用保温部材５０に対し均一に分散させてもよいし、また、例えば、つま先に対応する部分やかかとに対応する部分の金属粉末の密度を他の部分よりも高めてもよい。
【００７３】
上記肢体用保温部材５０を使用する場合には、履き物５１の内部に入れるだけでよく、簡単に使用できる。
【００７４】
以上説明したように、この実施形態４に係る肢体用保温部材５０によれば、酸化チタンによって血管の密集した足Ｌの血行を促進して温めることができ、よって、患者が人工透析を受ける間、冷えに起因した疼痛を緩和することができる。
【００７５】
尚、肢体用保温部材５０は、スリッパやルームシューズ等の室内履き以外にも、運動靴等の屋外で履く履き物の中敷きとしても使用できる。
【００７６】
また、肢体用保温部材１、３０、４０、５０を構成する材料としては、不織布以外にも、例えば、綿布、化学繊維からなる布やガーゼ等であってもよい。また、これら材料に親水化処理を施して患者の汗を吸い取らせるようにしてもよい。肢体用保温部材１、３０、５０を構成する材料としては、伸縮性を有する布材であってもよい。
【００７７】
また、酸化チタンを粒状に加工して、２枚の不織布２、２の間に多数配置するようにしてもよい。また、金属粉末３や粒状の酸化チタンを、１枚の不織布２に接着剤等によって接着するようにしてもよい。また、上記金属粉末３や、粒状の酸化チタンを練り込んだ樹脂材をフィルム状またはシート状に加工し、これを用いて肢体用保温部材１、３０、４０、５０を構成してもよい。
【００７８】
また、本発明の肢体用保温部材１、３０、４０、５０は、人工透析を受ける患者だけでなく、各種治療を受ける患者をはじめ、家庭で肢体に冷えを感じる場合にも使用することができる。
【００７９】
また、上記実施形態１、２では、肢体用保温部材１、３０が下肢用である場合について説明したが、形状を変更することによって上肢用としても使用可能である。
【００８０】
また、上記実施形態１、２では、血行促進部を酸化チタン被膜を有する金属粉末３で構成しているが、これに限らず、トルマリンやゲルマニウムで構成してもよい。
【００８１】
トルマリンは、電気石とも呼ばれており、細かく粉砕した場合に、トルマリン結晶の両端にプラス極とマイナス極とが存在する性質を持っている。このトルマリンの微弱電流は、例えば、人体の細胞に含まれる水分に流れることによって、人体に極めて弱い電気刺激を与えることができる。これにより血行が効果的に促進される。
【００８２】
上記トルマリンは、原石のまま不織布２に接着剤等によって担持させてもよいし、原石を細かく砕いて粒状にして不織布２に担持させてもよい。
【００８３】
また、ゲルマニウムを用いる場合には、ゲルマニウムから放出される電子の作用によって、血行が促進される。ゲルマニウムは、粒状にして不織布に担持させてもよい。
【００８４】
また、トルマリンやゲルマニウムの微粉末を樹脂に練り込んでシート状に加工し、これを用いて肢体用保温部材１、３０を構成するようにしてもよい。また、酸化チタン、トルマリン及びゲルマニウムのうち、全てを組み合わせて血行促進部を構成してもよいし、任意の２つを組み合わせて血行促進部を構成してもよい。また、血行促進部は、これらに限られるものではなく、例えば、発熱体で構成するようにしてもよい。
【産業上の利用可能性】
【００８５】
以上説明したように、本発明に係る肢体用保温部材は、例えば、人工透析を受ける患者の下肢に装着するのに適している。
【符号の説明】
【００８６】
１、３０、４０、５０  肢体用保温部材
３                    金属粉末（血行促進部）
１０                  つま先側カバー（第１カバー）
２０                  ふくらはぎ側カバー（第２カバー）
２１、３８            面ファスナー（調整部）
２１ａ、３８ａ        フックテープ
２１ｂ、３８ｂ        ループテープ
Ｌ                    足
【図１】
2012187289.tif 000003
【図２】
2012187289.tif 000004
【図３】
2012187289.tif 000005
【図４】
2012187289.tif 000006
【図５】
2012187289.tif 000007
【図６】
2012187289.tif 000008
【図７】
2012187289.tif 000009
【図８】
2012187289.tif 000010
【図９】
2012187289.tif 000011
【図１０】
2012187289.tif 000012
【図１１】
2012187289.tif 000013
【図１２】
2012187289.tif 000014
【図１３】
2012187289.tif 000015
【図１４】
2012187289.tif 000016